(57)【要約】【課題】洗い場床に柔らかさを付与しつつ、シーリング材が、長期に使用しても切れたり外れたりすることのない浴室用洗い場床を提供する。【解決手段】  壁載部を有する硬質な材料で形成された基材と、厚肉部と薄肉部とを有し、前記厚肉部の外側端部が前記壁パネル近傍に配置された状態で前記基材上に積層され、硬質な材料から形成された表面材と、前記基材と前記薄肉部との間に積層され、弾性変形可能なクッション層と、前記厚肉部の外側端部と前記壁パネルとの間を水密的に塞ぐシール部と、を備え、前記薄肉部は、可撓性を有する厚みに形成されており、前記厚肉部は、前記薄肉部より厚く形成されており、底面が前記基材の上面に積層されていることを特徴とする。【選択図】図２
2010112057.tif 000002
【特許請求の範囲】
【請求項１】
壁パネルを載置する壁載部を有する硬質な材料で形成された基材と、
外縁部に形成された厚肉部と、前記厚肉部より内方側であって、前記厚肉部の底面より高い位置に底面が形成された薄肉部とを有し、前記厚肉部の外側端部が前記壁パネル近傍に配置された状態で前記基材上に積層され、硬質な材料から形成された表面材と、
前記基材と前記薄肉部との間に積層され、弾性変形可能なクッション層と、
前記厚肉部の外側端部と前記壁パネルとの間を水密的に塞ぐシール部と、を備え、
前記薄肉部は、可撓性を有する厚みに形成されており、
前記厚肉部は、前記薄肉部より厚く形成されており、底面が前記基材の上面に積層されていることを特徴とする浴室用洗い場床。
【請求項２】
上方に立ち上がり形成された土手部を有する硬質な材料で形成された基材と、
外縁部に形成された厚肉部と、前記厚肉部より内方側であって、前記厚肉部の底面より高い位置に底面が形成された薄肉部とを有し、前記厚肉部の外側端部が前記土手部の近傍に配置された状態で前記基材上に積層され、硬質な材料から形成された表面材と、
前記基材と前記薄肉部との間に積層され、弾性変形可能なクッション層と、
前記厚肉部の端部と前記土手部との間を水密的に塞ぐシール部と、を備え、
前記薄肉部は、可撓性を有する厚みに形成されており、
前記厚肉部は、前記薄肉部より厚く形成されており、底面が前記基材の上面に積層されていることを特徴とする浴室用洗い場床。
【請求項３】
前記クッション層の底面および前記表面材の厚肉部の底面は、前記基材の同一平面上に積層されていることを特徴とする請求項１〜３のいずれか１項に記載の浴室用洗い場床。
【発明の詳細な説明】
【技術分野】
【０００１】
本発明は、浴室用洗い場床に関する。
【背景技術】
【０００２】
従来、浴室の洗い場床にクッション性を付与する構造が提案されている。例えば、特許文献１には、ＦＲＰ（Fiber Reinforced Plastic）からなる基材と、発泡層と、軟質材からなる表面層とを順に積層し一体化した浴室用洗い場床が開示されている。また、特許文献２には、ゴム弾性体の内部に液収容空所を形成してなるクッション材を固定状態に設置した上、液収容空所に、水、湯等の液を収容して洗い場床を構築した構造が開示されている。
【特許文献１】特開２００１−２４５８１４号公報
【特許文献２】特開平９−１２２０２８号公報
【発明の開示】
【発明が解決しようとする課題】
【０００３】
一般的に、クッション層は荷重を支えるのに十分な強度を確保しにくく、クッション層とは別に、荷重を支えるための強度を担保する基材が必要となる。その場合、基材とクッション層との間に水が浸入すると、クッション層が濡れてクッション性が悪化したり、カビが発生するおそれがあるため、クッション層の周縁部をシリコンや目地などのシーリング材で水密的にシールすることが必要となる。
【０００４】
クッション層は、洗い場床面上から荷重がかかると、上下方向に伸び縮み（可動）するものであるが、クッション層の周縁部も同様に上下方向に伸び縮みしてしまうと、その部分に設けたシリコンが切れたり、目地が外れてしまい、水密性が損なわれたり、見栄えが悪くなる問題が懸念される。
【０００５】
本発明は上述の問題に鑑みてなされ、洗い場床に柔らかさを付与しつつ、且つ、基材とクッション層との間に水が浸入しないようにするためのシーリング材が、長期に使用しても切れたり外れたりすることのない浴室用洗い場床を提供する。
【課題を解決するための手段】
【０００６】
本発明の一態様によれば、壁パネルを載置する壁載部を有する硬質な材料で形成された基材と、外縁部に形成された厚肉部と、前記厚肉部より内方側であって、前記厚肉部の底面より高い位置に底面が形成された薄肉部とを有し、前記厚肉部の外側端部が前記壁パネル近傍に配置された状態で前記基材上に積層され、硬質な材料から形成された表面材と、前記基材と前記薄肉部との間に積層され、弾性変形可能なクッション層と、前記厚肉部の外側端部と前記壁パネルとの間を水密的に塞ぐシール部と、を備え、前記薄肉部は、可撓性を有する厚みに形成されており、前記厚肉部は、前記薄肉部より厚く形成されており、底面が前記基材の上面に積層されていることを特徴とする浴室用洗い場床が提供される。
【０００７】
また、本発明の一態様によれば、上方に立ち上がり形成された土手部を有する硬質な材料で形成された基材と、外縁部に形成された厚肉部と、前記厚肉部より内方側であって、前記厚肉部の底面より高い位置に底面が形成された薄肉部とを有し、前記厚肉部の外側端部が前記土手部の近傍に配置された状態で前記基材上に積層され、硬質な材料から形成された表面材と、前記基材と前記薄肉部との間に積層され、弾性変形可能なクッション層と、前記厚肉部の端部と前記土手部との間を水密的に塞ぐシール部と、を備え、前記薄肉部は、可撓性を有する厚みに形成されており、前記厚肉部は、前記薄肉部より厚く形成されており、底面が前記基材の上面に積層されていることを特徴とする浴室用洗い場床が提供される。
【発明の効果】
【０００８】
本発明によれば、洗い場床に柔らかさを付与しつつ、且つ、基材層とクッション層との間に水が浸入しないようにするためのシーリング材が、長期に使用しても切れたり外れたりすることのない浴室用洗い場床を提供される。
【発明を実施するための最良の形態】
【０００９】
本発明における第１の発明は、図２に示す通り、壁パネル８０を載置する壁載部１３を有する硬質な材料で形成された基材１０と、外縁部に形成された厚肉部３２と、厚肉部３２より内方側であって、厚肉部３２の底面より高い位置に底面が形成された薄肉部３１とを有し、厚肉部３２の外側端部が壁パネル８０近傍に配置された状態で基材１０上に積層され、硬質な材料から形成された表面材３０と、基材１０と薄肉部３１との間に積層され、弾性変形可能なクッション層２０と、厚肉部３２の外側端部と壁パネル８０との間を水密的に塞ぐシール部５０と、を備え、薄肉部３１は、可撓性を有する厚みに形成されており、厚肉部３２は、薄肉部３１より厚く形成されており、底面が基材１０の上面に積層されていることを特徴とする浴室用洗い場床１である。
【００１０】
第１の発明によれば、表面材３０の薄肉部３１は可撓性を有する厚みで形成されているため、薄肉部３１上に荷重がかかった際には、下層のクッション性を表面材３０上に伝達することができる。また、表面材３０の端部と壁パネル８０の表面との間にシーリング材５０が水密的に配置されているため、基材１０とクッション層２０との間に水が浸入することがない。特に、表面材３０の縁部に位置する厚肉部３２は下層にクッション層２０が積層されておらず、基材１０上に直接、積層されている。つまり、厚肉部３２上に荷重がかかった際には、厚肉部３２は上下方向に伸び縮み（可動）することがない。よって、長期使用においても表面材３０の端部と壁パネル８０の表面との間の水密性を保持することができる。
【００１１】
本発明における第２の発明は、図３に示す通り、上方に立ち上がり形成された土手部１５を有する硬質な材料で形成された基材１０と、外縁部に形成された厚肉部３２と、厚肉部３２より内方側であって、厚肉部３２の底面より高い位置に底面が形成された薄肉部３１とを有し、厚肉部３２の外側端部が土手部１５の近傍に配置された状態で基材１０上に積層され、硬質な材料から形成された表面材３０と、基材１０と薄肉部３１との間に積層され、弾性変形可能なクッション層２０と、厚肉部３２の端部と土手部１５との間を水密的に塞ぐシール部５０と、を備え、薄肉部３１は、可撓性を有する厚みに形成されており、厚肉部３２は、薄肉部３１より厚く形成されており、底面が基材１０の上面に積層されていることを特徴とする浴室用洗い場床１である。
【００１２】
第２の発明によれば、表面材３０の薄肉部３１は可撓性を有する厚みで形成されているため、薄肉部３１上に荷重がかかった際には、下層のクッション性を表面材３０上に伝達することができる。また、表面材３０の端部と、土手部１５との間にシーリング材５０が水密的に配置されているため、基材１０とクッション層２０との間に水が浸入することがない。特に、表面材３０の縁部に位置する厚肉部３２は下層にクッション層２０が積層されておらず、基材１０上に直接、積層されている。つまり、厚肉部３２上に荷重がかかった際には、上下方向に伸び縮み（可動）することがない。よって、長期使用においても表面材３０の端部と土手部１５の表面との間の水密性を保持することができる。尚、土手部１５とは、洗い場床１の浴槽２側縁辺に形成される土手部のことを指す。
【００１３】
本発明における第３の発明は、クッション層２０の底面および表面材３０の厚肉部３２の底面は、基材１０の同一平面上に積層されている。
【００１４】
第３の発明によれば、特殊な形状をした専用の基材１０を用いなくても、一般的な平面部１１を有する基材１０を使って洗い場床に柔らかさを付与しつつ、且つ、基材１０とクッション層２０との間に水が浸入しないようにするためのシーリング材５０が、長期に使用しても切れたり外れたりすることのない浴室用洗い場床１を提供することができる。
【００１５】
以下、本発明の実施形態について、図面を用いて説明する。
図１はユニットバスの分解図である。ユニットバスは、洗い場床１と、洗い場床１に隣接して配置された浴槽２と、洗い場床１と浴槽２との間の開口を掩蔽するバスエプロン（図示なし）と、洗い場床１の浴槽２側を除く３辺と浴槽２の洗い場床１側を除く３辺に形成された壁載部１３に載置される壁パネル８０と、壁パネル８０の上部に取り付けられる天井パネル７と、によって水密的且つ気密的な空間が構成されている。
【００１６】
（第１の実施形態）
図２は図１における壁パネル８０が載置された側の浴室用洗い場床１の断面図である。
【００１７】
本実施形態における浴室用洗い場床１は、基材１０と、クッション層２０と、表面材３０とからなる３層構造で構成されている。基材１０は、上面が平面状に形成された平面部１１と、平面部１１の端部において上方に立ち上がり形成された水返し部１２と、水返し部１２の僅か内方側の平面部１１上に設けられた壁載部１３と、を備えている。また、基材１０は、浴室外に湯水を漏出させない防水性、および壁パネル８０、天井パネル７、風呂椅子、洗面器などの静荷重、使用者の動荷重を受けても撓んだり破損しない十分な強度を有する硬質材料から形成されている。例えば、ＦＲＰ（Fiber Reinforced Plastic）等の熱硬化性樹脂、あるいはポリプロピレン、ポリエチレン等の熱可塑性樹脂に補強を施したものから形成されている。尚、表面材３０の厚肉部３２と壁パネル８０とは、当接する程度に接近して配置されている。
【００１８】
表面材３０およびクッション層２０は、基材１０における壁載部１３よりも内方側の平面部１１上にそれぞれ積層されている。クッション層２０は厚みが略一定のシート体である。一方、表面材３０は縁部が厚く形成された厚肉部３２と、厚肉部３２より内方側が薄く形成された薄肉部３１と、を備えた断面視逆凹状に形成されている。また、表面材３０の厚肉部３２と薄肉部３１からなる上面は略同一平面状に形成されており、下面は厚肉部３２の方が薄肉部３１に比べて下方に突出した形状をしている。クッション層２０は底面全体が基材１０上に積層されており、表面材３０は厚肉部３２のみが基材１０上に積層されており、薄肉部３１はクッション層２０の上面に全体が積層されている。尚、表面材３０の厚肉部３２は、壁パネル８０と表面材３０との間に位置するように積層されている。
【００１９】
クッション層２０は、弾性変形可能であり、例えばウレタン等の発泡体からなる。なお、クッション層２０は弾性変形可能なゴム材、エアークッション、またはウォータークッションであっても構わない。
【００２０】
表面材３０は、耐水性、耐薬品性、耐摩耗性、耐衝撃性など、洗い場床表面に要求される基本性能（耐久性）を満足するべく比較的硬質で強靱な材料から形成されている。そのような表面材３０の材料としては、ＦＲＰ、ＰＶＣ（塩化ビニル）、ポリプロピレン、ポリエチレン、ウレタン樹脂、ポリエステル樹脂、スチレン・ポリエステル・オレフィン・アクリル系の各種エラストマー、ＥＶＡ、ＥＰＤＭ、シリコンゴムなどのゴム（硬質）系、あるいはこれらを十分な耐久性が期待できる程度の硬さに調整したもの、あるいはこれらをベースに充填材や強化材を加えた複合材料などが一例として挙げられる。これら材料は一例であって、その他、表面材３０の材料としては、薄くすることである程度の可撓性を有する材料で、且つ浴室の一般的な使用に際し十分な耐久性を有するべく強靱な材料であればよい。なお、特に、洗い場床材に要求される基本性能発揮に実績のある軟質ＦＲＰを表面材に用いることで信頼性の高い製品を提供することができる。
【００２１】
上述した材料から形成された表面材３０により、薄肉部３１は可撓性を有し、厚肉部３２は表面材３０上に荷重が加わった際に、荷重が加わった部分が局所的に変形しない程度の厚みを有しているため上下方向に伸縮しないようになっている。
【００２２】
表面材３０における厚肉部３２の端部と壁パネル８０表面との間は、シリコンや目地部材等のシーリング材で水密的にシールされ、表面材と基材との間への水の浸入が防止されている。
【００２３】
シーリング材が配置されるシール部５０は、上下方向に伸び縮みしないため、荷重がかかった際でも位置が固定されている。つまり、長期使用においても、シーリング材が、切れたり外れたりすることを防止できる。
【００２４】
また、本実施形態では、表面材３０を特殊な形状にすることによって、長期的な水密性を確保しているため、平面部１１を有する既存の基材１０を使って、表面にクッション性を付与することも可能となるため、金型を新作する必要がないため製造コストを低減することもできる。
【００２５】
このように、本発明はシーリング材が配置される部分（シール部５０）にも同様のクッション性があると、シーリング材が、長期使用で切れたり外れたりすることがあるという問題点について着目したものである。
【００２６】
図４に本発明の課題を説明するための比較例を示す。図４に示す洗い場床１０１は基材１１０の上にクッション層１２０が積層され、クッション層１２０の上に表面材１３０の全体が積層されたものである。そして、表面材１３０の端部と壁パネル１８０の前面との間にシール部１５０が配置されている。このような構成であると、シール部１５０の下にクッション層１２０が配置されているため、荷重がかかることによりシール部１５０が上下に動くことになってしまう。シール部１５０に上下方向の動きが加わると、シリコンが切れたり、目地材が外れたりするおそれがあり、水密を確保できないこととなってしまう。
【００２７】
（第２の実施形態）
図３は図１における浴槽側近傍の浴室用床パネルの部分断面を示したものである。
【００２８】
洗い場床１は基材１０と、クッション層２０と、表面材３０とからなる３層構造で構成されている。基材１０は、上面が平面状に形成された平面部１１と、平面部１１の浴槽２側端部において上方に立ち上がり形成された水返し部（土手部とも言う）１５と、を備えている。また、基材１０は、浴室外に湯水を漏出させない防水性、および壁パネル、天井パネル、風呂椅子、洗面器などの静荷重、使用者の動荷重を受けても撓んだり破損しない十分な強度を有する硬質材料から形成されている。例えば、ＦＲＰ（Fiber Reinforced Plastic）等の熱硬化性樹脂、あるいはポリプロピレン、ポリエチレン等の熱可塑性樹脂に補強を施したものから形成されている。
【００２９】
表面材３０およびクッション層２０は、基材１０における土手部１５より内方側の平面部１１上にそれぞれ積層されている。クッション層２０は厚みが略一定のシート体であり、表面材３０は、縁部が厚く、縁部より内方側が薄く形成された厚肉部３２と薄肉部３１を備えた断面視逆凹状に形成されている。また、表面材３０の厚肉部３２と薄肉部３１からなる上面は略平面状に形成されており、下面は厚肉部３２の方が薄肉部３１に比べて下方に突出した形状をしている。クッション層２０は底面全体が基材１０上に積層されており、表面材３０は厚肉部３２のみが基材１０上に積層されており、薄肉部３２はクッション層２０の上面に積層されている。尚、表面材３０の厚肉部３２と土手部１５とは当接する程度に接近して配置されている。
【００３０】
クッション層２０は、弾性変形可能であり、例えばウレタン等の発泡体からなる。なお、クッション層２０は弾性変形可能なゴム材、エアークッション、またはウォータークッションであっても構わない。
【００３１】
表面材３０は、耐水性、耐薬品性、耐摩耗性、耐衝撃性など、洗い場床表面に要求される基本性能（耐久性）を満足するべく比較的硬質で強靱な材料から形成されている。そのような表面材３０の材料としては、ＦＲＰ、ＰＶＣ（塩化ビニル）、ポリプロピレン、ポリエチレン、ウレタン樹脂、ポリエステル樹脂、スチレン・ポリエステル・オレフィン・アクリル系の各種エラストマー、ＥＶＡ、ＥＰＤＭ、シリコンゴムなどのゴム（硬質）系、あるいはこれらを十分な耐久性が期待できる程度の硬さに調整したもの、あるいはこれらをベースに充填材や強化材を加えた複合材料などが一例として挙げられる。これら材料は一例であって、その他、表面材３０の材料としては、ある程度の可撓性を有する材料で、且つ浴室の一般的な使用に際し十分な耐久性を有するべく強靱な材料であればよい。なお、特に、洗い場床１材に要求される基本性能発揮に実績のある軟質ＦＲＰを表面材に用いることで信頼性の高い製品を提供することができる。
【００３２】
上述した材料から形成された表面材３０により、薄肉部３１は可撓性を有し、厚肉部３２は表面材３０上に荷重が加わった際に、荷重が加わった部分が局所的に変形しない程度の厚みを有しているため上下方向に伸び縮みしないようになっている。
【００３３】
表面材３０における厚肉部３２の端部と土手部１５表面との間は、シリコンや目地部材等のシーリング材で水密的にシールされ、表面材と基材との間への水の浸入が防止されている。
【００３４】
シーリング材が取り付けられたシール部５０は、上下方向に伸び縮みしないため、荷重がかかった際でも位置が固定されている。つまり、長期使用においても、シーリング材が、切れたり外れたりすることを防止できる。
【図面の簡単な説明】
【００３５】
【図１】本発明におけるユニットバスの分解図。
【図２】第１の実施形態に係る浴室用洗い場床の断面図。
【図３】第２の実施形態に係る浴室用洗い場床の断面図。
【図４】比較例としての浴室用洗い場床の断面図。
【符号の説明】
【００３６】
１…洗い場床、２…浴槽、７…天井パネル、８…ドア、１０…基材、１１平面部、１２…水返し部、１５…土手部、２０…クッション層、３０…表面材、３１…薄肉部、３２…厚肉部、５０…シール部、８０…壁パネル、
【図１】
2010112057.tif 000003
【図２】
2010112057.tif 000004
【図３】
2010112057.tif 000005
【図４】
2010112057.tif 000006